(57)【要約】【課題】  エッジカードコネクタアセンブリを提供すること。【解決手段】  エッジカードコネクタアセンブリは、ケーブルに接続可能なハーネス側部分、及びエントリ平面において、エッジに沿って平面構造をその中で受容するように適合されたカード側部分を有する。エッジカードコネクタは、壁を通って延在し、かつハーネス側部分においてケーブルと、及びカード側部分において平面構造と電気的に接続するように適合される、複数の弾性電気接触部材を有する。上部及び下部接触部材は、それぞれ、平面の上下に配置され、よって、受容された平面構造が接触部材に突き当たって、上部及び下部接触部材を平面から離れるように付勢し、上部及び下部接触部材は、それぞれの接触点において、平面構造の上面及び下面に対して対向する保持圧力を付与する。【選択図】  図１
2019009123.tif 000002
【特許請求の範囲】
【請求項１】
エッジカードコネクタアセンブリであって、
カード側部分と、ケーブルに接続可能なハーネス側部分と、それらの間の壁とを有する筐体であって、前記カード側部分が、エントリ平面において、エッジに沿って平面構造をその中で受容するように適合され、前記平面構造が、上面及び下面を有する、筐体と、
前記壁を通って延在し、かつ前記ハーネス側部分において前記ケーブルと、及び前記カード側部分において前記平面構造と電気的に接続するように適合される、複数の弾性電気接触部材であって、上部及び下部接触部材が、それぞれ、前記平面の上側及び下側に配置され、よって、前記受容された平面構造が前記接触部材に突き当たって、前記上部及び下部接触部材を前記平面から離れるように付勢し、前記上部及び下部接触部材が、それぞれの接触点において、前記平面構造の前記上面及び下面に対して対向する保持圧力を付与する、複数の弾性電気接触部材と、を備える、エッジカードコネクタアセンブリ。
【請求項２】
前記接触部材が、フィンガ部分と、エルボとを備え、前記フィンガ部分が、概して、前記壁から前記エルボまで延在し、前記接触部材の少なくとも一部分の前記エルボが、前記それぞれの接触点のうちの１つにおいて、前記平面構造とガルバニック接触する、請求項１に記載のアセンブリ。
【請求項３】
前記フィンガ部分が、弾性である、請求項２に記載のアセンブリ。
【請求項４】
前記接触部材が、前記平面の上側の上部の一組の列、及び前記平面の下側の下部の一組の列として配設されている、請求項１に記載のアセンブリ。
【請求項５】
前記上部の一組の列と前記下部の一組の列が、合計で５列である、請求項４に記載のアセンブリ。
【請求項６】
前記上部の一組の列内には３つの列が存在し、前記下部の一組の列内には２つの列が存在する、請求項４に記載のアセンブリ。
【請求項７】
３４個の接触部材が存在する、請求項６に記載のアセンブリ。
【請求項８】
前記筐体の前記カード側部分が、対向する側壁と、前記側壁に形成された一対のスロットとを有し、前記スロットが、前記平面を画定し、前記平面構造をその中で受容する、請求項１に記載のアセンブリ。
【請求項９】
前記スロットが、前記壁において終端する、請求項８に記載のアセンブリ。
【請求項１０】
前記ハーネス側部分において、前記接触部材が、前記ケーブルのためのピンコネクタとして終端する、請求項１に記載のアセンブリ。
【請求項１１】
前記ハーネス側部分において、前記接触部材が、前記ケーブルのためのソケットコネクタとして終端する、請求項１に記載のアセンブリ。
【請求項１２】
前記平面構造が、前記接触点において前記接触部材と嵌合する電気接点を有するプリント回路基板である、請求項１に記載のアセンブリ。
【請求項１３】
前記筐体が、前記平面構造のそれぞれのくぼみに係合するスナップオンクリップを備える、請求項１に記載のアセンブリ。
【請求項１４】
方法であって、
カテーテルにハンドルを提供することであって、前記ハンドルが、その中に配置されたエッジカードコネクタを有する、提供することと、
エッジカード及びケーブルハーネスを前記エッジカードコネクタに接続することであって、前記エッジカードコネクタが、
カード側部分と、前記ケーブルハーネスに接続可能なハーネス側部分と、それらの間の壁とを有する筐体であって、前記カード側部分が、エントリ平面において、エッジに沿って平面構造をその中で受容するように適合され、前記平面構造が、上面及び下面を有する、筐体と、
前記壁を通って延在し、かつ前記ハーネス側部分において前記ケーブルハーネスと、及び前記カード側部分において前記平面構造と電気的に接続するように適合される、複数の弾性電気接触部材であって、上部及び下部接触部材が、それぞれ、前記平面の上側及び下側に配置され、よって、前記受容された平面構造が前記接触部材に突き当たって、前記上部及び下部接触部材を前記平面から離れるように付勢し、前記上部及び下部接触部材が、それぞれの接触点において、前記平面構造の前記上面及び下面に対して対向する保持圧力を付与する、複数の弾性電気接触部材と、を備える、接続することと、を含む、方法。
【請求項１５】
前記接触部材が、フィンガ部分と、エルボとを備え、前記フィンガ部分が、概して、前記壁から前記エルボまで延在し、前記接触部材の少なくとも一部分の前記エルボが、前記それぞれの接触点のうちの１つにおいて、前記平面構造とガルバニック接触することを更に含む、請求項１４に記載の方法。
【請求項１６】
前記フィンガ部分が、弾性である、請求項１５に記載の方法。
【請求項１７】
前記接触部材が、前記平面の上側の上部の一組の列、及び前記平面の下側の下部の一組の列として配設される、請求項１４に記載の方法。
【請求項１８】
前記上部の一組の列と前記下部の一組の列とが、合計で５列である、請求項１７に記載の方法。
【請求項１９】
前記上部の一組の列内には３つの列が存在し、前記下部の一組の列内には２つの列が存在する、請求項１７に記載の方法。
【請求項２０】
３４個の接触部材が存在する、請求項１９に記載の方法。
【請求項２１】
前記筐体の前記カード側部分が、対向する側壁と、前記側壁に形成された一対のスロットとを有し、前記スロットが、前記平面を画定し、前記平面構造をその中で受容する、請求項１４に記載の方法。
【請求項２２】
前記スロットが、前記壁において終端する、請求項２１に記載の方法。
【請求項２３】
前記ハーネス側部分において、前記接触部材が、前記ケーブルハーネスのためのピンコネクタとして終端する、請求項１４に記載の方法。
【請求項２４】
前記ハーネス側部分において、前記接触部材が、前記ケーブルハーネスのためのソケットコネクタとして終端する、請求項１４に記載の方法。
【請求項２５】
前記平面構造が、前記接触点において前記接触部材と嵌合する電気接点を有するプリント回路基板である、請求項１４に記載の方法。
【請求項２６】
エッジカードを接続することが、前記エッジカード及び前記エッジカードコネクタの係合解除を防止するスナップオンクリップによって行われる、請求項１４に記載の方法。
【発明の詳細な説明】
【技術分野】
【０００１】
（著作権情報）
本特許文献の開示の一部には、著作権保護の対象となる資料が含まれる。著作権所有者は、何人かによって、特許文献又は特許情報開示が、特許商標庁特許出願又は記録にあるとおりに複製されることに対しては、異議を唱えないが、そうでなければ、たとえ何であってもすべての著作権を保有する。
【０００２】
１．発明の分野
本発明は、電気結合装置に関する。より具体的には、本発明は、リジッドプリント回路基板などの平面構造の縁部と結合させるための電気結合装置に関する。
【０００３】
２．関連技術の説明
本明細書で使用される特定の頭字語及び略語の意味を表１に示す。
【０００４】
【表１】
2019009123.tif 000003
【０００５】
プリント回路基板（ＰＣＢ）上に形成された回路に接続することは、典型的に、配線及びコネクタをＰＣＢにはんだ付けすることを必要とする。はんだ付けは、時間がかかり、かつはんだ付け設備を必要とする。加えて、何らかの理由でＰＣＢを取り外す必要がある場合は、配線及びコネクタのはんだを除去する必要があり、同じく時間がかかり、かつ特別な設備を必要とする。
【０００６】
本技術は、端子金具と回路基板との接触信頼性を向上させようとしてきた。これらは、典型的に、端子金具を回路基板の縁部分上の並置された構成要素と弾接させることを含む。例えば、米国特許第６，２７６，９４３号は、いかなる事前のはんだ付けも必要としないモジュラ設計を使用して、互いに接続することができる、かつコネクタに組み付けることができる、モジュラプラグ及び偏波スロットを有するレセプタクルで構成された、高速シリアルデータコネクタ（ＨＳＳＤＣ）システムに適合するコネクタを提案している。
【０００７】
米国特許第５，９９７，３４３号は、センサコネクタの挿入スロットに押し込まれるセンサプラグを記載している。センサプラグが挿入されると、前縁部がばね接点に係合し、ばね接点を持ち上げ、ばね接点のうちの２つをスイッチ接点に接触させる。センサプラグの挿入を続けると、センサタブが接点ブロックと底部ケースとの間を摺動し、よって、ばね接点及びプラグ接点が電気的に接続された状態を維持する。
【発明の概要】
【課題を解決するための手段】
【０００８】
既存の方法をカテーテルハンドルの設計に適用することは、カテーテルハンドルの空間的な制約を満たすために比較的高価なフレックスリジッドＰＣＢの使用が必要であるので、高い労働及び材料のコストが発生する。本発明によって構築されるアダプタを使用するカテーテルハンドルなどの装置の組み立てが単純化されると、労働及び材料コストが大幅に低減される。このアダプタは、安価なＰＣＢ（リジッドＰＣＢ）を収容することができる。
【０００９】
本発明の実施形態は、はんだ付けではなく、ＰＣＢのエッジの中へ摺動させることによってＰＣＢのパッドに接続する、アダプタを提供する。アダプタは、一組の両面接続部を有する。ＰＣＢを受容する接続部側には、ばね付勢の導電「フィンガ」が存在し、これは、ＰＣＢパッドに接触するように構成された「エルボ」において終端する。接続部の反対側には、雄型ピン又は雌型ソケットがある。アダプタは、ケーシングに封入され、ケーシング内には、ガイドが形成され、このガイドは、フィンガのエルボがパッドと嵌合するように、ＰＣＢを方向付けてアダプタのフィンガと嵌合させる。
【００１０】
本発明の実施形態によれば、カード側部分と、ケーブルに接続可能なハーネス側部分と、それらの間の壁とを有する筐体を含む、エッジカードコネクタアセンブリが提供される。カード側部分は、エッジに沿って平面構造をその中で受容するように適合される。エッジカードコネクタは、壁を通って延在し、かつハーネス側部分においてケーブルと、及びカード側部分において平面構造と電気的に接続するように適合される、複数の弾性電気接触部材を有する。上部及び下部接触部材は、それぞれ、平面の上側及び下側に配置され、よって、受容された平面構造が接触部材に突き当たって、上部及び下部接触部材を平面から離れるように付勢し、上部及び下部接触部材は、それぞれの接触点において、平面構造の上面及び下面に対して対向する保持圧力を付与する。
【００１１】
アセンブリの更なる態様によれば、接触部材は、フィンガ部分と、エルボとを備え、フィンガ部分は、概して、壁からエルボまで延在する。接触部材の少なくとも一部分のエルボは、それぞれの接触点のうちの１つにおいて、平面構造とガルバニック接触する。
【００１２】
アセンブリの追加的な態様によれば、フィンガ部分は、弾性である。
【００１３】
アセンブリの別の態様によれば、接触部材は、平面の上側の上部の一組の列、及び平面の下側の下部の一組の列として配設されている。
【００１４】
アセンブリの追加的な態様によれば、上部の一組の列と下部の一組の列とは、合計で５列である。
【００１５】
アセンブリの一態様によれば、上部の一組の列内には３つの列が存在し、下部の一組の列内には２つの列が存在する。
【００１６】
アセンブリの更に別の態様によれば、３４個の接触部材が存在する。
【００１７】
アセンブリの更なる態様によれば、筺体のカード側部分は、対向する側壁と、側壁に形成された一対のスロットとを有し、スロットは、平面を画定し、平面構造をその中で受容する。
【００１８】
アセンブリの一態様によれば、スロットは、壁において終端する。
【００１９】
アセンブリの更に別の態様によれば、ハーネス側部分において、接触部材は、ケーブルのためのピンコネクタとして終端する。
【００２０】
アセンブリの更に別の態様によれば、ハーネス側部分において、接触部材は、ケーブルのためのソケットコネクタとして終端する。
【００２１】
アセンブリの更に別の態様によれば、平面構造は、接触点において接触部材と嵌合する電気接点を有するプリント回路基板である。
【００２２】
本発明の実施形態によれば、ハンドルをカテーテルに提供することによって実行される方法が更に提供される。ハンドルは、その中に配置されたエッジカードコネクタを有する。本方法は、エッジカード及びケーブルハーネスをエッジカードコネクタに接続することによって、更に実行され、エッジカードコネクタは、カード側部分と、ケーブルハーネスに接続可能なハーネス側部分と、それらの間の壁とを有する筐体を含む。カード側部分は、エッジに沿って平面構造をその中で受容するように適合される。エッジカードコネクタは、壁を通って延在し、かつハーネス側部分においてケーブルと、及びカード側部分において平面構造と電気的に接続するように適合される、複数の弾性電気接触部材を有する。上部及び下部接触部材は、それぞれ、平面の上側及び下側に配置され、よって、受容された平面構造が接触部材に突き当たって、上部及び下部接触部材を平面から離れるように付勢し、上部及び下部接触部材は、それぞれの接触点において、平面構造の上面及び下面に対して対向する保持圧力を付与する。
【図面の簡単な説明】
【００２３】
本発明をより深く理解するため、本発明の詳細な説明を例として参照するが、この説明は以下の図面と併せて読むべきものであり、図中、同様の要素には同様の参照数字を付してある。
【図１】本発明の一実施形態によるエッジカードアダプタを通した斜め断面のカード側の立面図である。
【図２】本発明の一実施形態によるエッジカードアダプタの中間部分を通したハーネス側の断面図である。
【図３】本発明の一実施形態による、エッジカードを含む図１に示されるエッジカードアダプタの斜めのカード側の立面図である。
【図４】本発明の一実施形態による、エッジカードが挿入された図１に示されるエッジカードアダプタの接触部材の側部立面図である。
【図５】本発明の代替的な実施形態によるエッジカードアダプタの立面図である。
【発明を実施するための形態】
【００２４】
以下の説明では、本発明の様々な原理が十分に理解されるように、多くの具体的な詳細について記載する。しかしながら、これらの詳細のすべてが本発明を実施する上で必ずしも必要であるとは限らない点は当業者には明らかであろう。
【００２５】
参照により本明細書に援用される文書は本出願の一体部分と見なされるべきであり、いずれかの用語が、それらの援用された文書内で、本明細書で明示的又は暗示的に行われる定義と相反するように定義される場合を除き、本明細書における定義のみが考慮されるべきである。
【００２６】
以下、図面に戻り、最初に図１を参照すると、この図は、本発明の一実施形態によるエッジカードアダプタ１０を通した斜め断面のカード側（正面）の立面図である。エッジカードアダプタ１０は、筐体１２と、ケーブルハーネス（図示せず）への接続に適合された後部フランジ１４と、ケーブルハーネスを安定させる中間部分１６と、ＰＣＢなどのカードを縁部に沿って受容するカード結合セグメント１８とを有する。一用途において、エッジカードアダプタ１０は、カテーテルハンドル内部に位置付けられ、また、延長ケーブルレセプタクルコネクタを介してカテーテル回路基板から電気信号を伝送することができるインターフェースとして機能する。この種類のカテーテルハンドルは、例えば、本発明の譲受人に譲渡された米国特許出願公開第２０１３／０２９６７２９号において説明されており、参照により本明細書に組み込まれる。
【００２７】
プラスチックから作製することができるカード結合セグメント１８は、入口面を画定するためにその中に形成されたスロット２２を有する、壁付きチャンバ２０を備える。スロット２２は、端部に沿ってカードを受容するように、好適に寸法決定される。図１の実施例において、スロット２２は、後壁２４まで延在して、カードのためのストッパを形成する。代替的に、スロット２２は、より短く、後壁２４まで延在していなくてもよい。
【００２８】
スロット２２の上側及び下側にそれぞれ位置付けられた弾性の上部接触部材３６及び下部接触部材３８の上部の一組の平行な列２６、２８、３０及び下部の一組の平行な列３２、３４が、チャンバ２０の後壁２４から外方に延在している。接触部材は、金めっきしたニッケルであってもよい。「上側の」、「下側の」、「上方へ」及び「下方へ」、「上部」及び「下部」という用語は、エッジカード及びスロット２２に対する上部接触部材３４及び下部接触部材３８の関係及び移動を区別するために、本明細書で恣意的に使用される。これらの用語は、エッジカードアダプタ１０の実際の構成に関して、物理的な意味を有しない。この実施例において、上部の一組の列及び下部の一組の列は、それぞれ、３つの列及び２つの列を備える。他の実施形態において、列の数は、異なる列における接触部材の数になるように変更することができる。密度、すなわち、隣接する接触部材の近接性は、エッジカードの寸法に合うように調整することができる。
【００２９】
以下、図２を参照すると、この図は、本発明の一実施形態によるエッジカードアダプタ１０の中間セグメント１６を通したハーネス側（後方）の断面図である。接触部材３６、３８（図１）の後方拡張部は、ケーブル（図示せず）の一部である嵌合レセプタクルコネクタのピンと嵌合するように適合されるソケットとすることができる。代替的に、接触部材３６、３８は、嵌合レセプタクルコネクタのソケットと嵌合するように適合されたピンとすることができる。この例示的な実施形態は、５つの平行な列、すなわち、３つの上部の列２６、２８、３０、及び２つの下部の列３２、３４の接触部材に分けられた、３４個の接点４０を提供する。
【００３０】
以下、図３を参照すると、この図は、本発明の一実施形態による、エッジカード４２の断面図を含む図１に類似するエッジカードアダプタ１０の斜めのカード側の立面図である。エッジカード４２は、リジッド回路基板とすることができ、スロット２２（図１）を占有する。上部の列２６、２８、３０の接触部材３６、及び下部の列３２  ３４の接触部材３８は、弾性であり、また、それぞれ、エッジカードの上面及び下面が上部接触部材３６及び下部接触部材３８に接触したときに、エッジカード４２をスロット２２の中へ挿入することによって、上方及び下方に変位される（すなわち、スロット２２によって画定された平面から離れる）。すべての上部接触部材３６及び下部接触部材３８は、エッジカード上の嵌合電気接点とのワイピング接点として作用する。エッジカード４２の挿入は、後壁２４がエッジカード４２の更なる前進を防止するまで続ける。ワイピング接点は、エッジカード４２がエッジカードアダプタ１０に繰り返し挿入される、及びそれから取り外される用途において、セルフクリーニングする。
【００３１】
以下、図４を参照すると、この図は、本発明の一実施形態による、エッジカード４２が挿入された接触部材３６、３８の側部立面図である。それらのカード側セグメントにおいて、接触部材は、エルボ４６において終端する弾性フィンガ部分４４を有する。
【００３２】
接点４０は、ピン４８のハーネス側の先端に現れる。エッジカード４２の上面は、上部接触部材３６によって押圧点５０、５２、５４において押圧される。エッジカード４２の下面は、下部接触部材３８によって押圧点５６、５８において押圧される。すべての押圧点は、エッジカード４２上の嵌合電気接点（図示せず）に対応する。エッジカード４２と、上部接触部材３６及び下部接触部材３８のエルボ４６との間のガルバニック接触は、はんだ付けを伴わずに達成される。
【００３３】
代替的な実施形態
以下、図５を参照すると、この図は、本発明の代替的な実施形態によるエッジカードアダプタ６０の正面図である。エッジカードアダプタ６０は、エッジカードアダプタ６０及びエッジカード６４が分離可能ではないように、エッジカード６４に永続的に係合することを意図していることを除き、上で説明した実施形態に類似している。
【００３４】
筐体６２は、拡張部分６６を備える。２つのスナップオンクリップ６８は、拡張部分６６への取り付け部７０を有し、かつ拡張部品６６の自由端部を僅かに超えて延在する。エッジカード６４がエッジカードアダプタ６０に挿入されると、クリップ６８は、エッジカード６４のフランジ７２に接触する。クリップ６８は、矢印７４によって示されるように内方へ枢動し、かつエッジカード６４がエッジカードアダプタ６０から係合解除することを防止するように、エッジカード６４のくぼみ７６内の適所にスナップ留めすることができる。
【００３５】
当業者であれば、本発明が上記で具体的に図示及び記載されたものに限定されない点を理解するであろう。むしろ、本発明の範囲は、上述の様々な特徴の組み合わせ及び部分的組み合わせ、並びに上記の説明を読むことで当業者には想到されるであろう、先行技術にはない上述の様々な特徴の変形例及び改変例をも含むものである。
【００３６】
〔実施の態様〕
（１）  エッジカードコネクタアセンブリであって、
カード側部分と、ケーブルに接続可能なハーネス側部分と、それらの間の壁とを有する筐体であって、前記カード側部分が、エントリ平面において、エッジに沿って平面構造をその中で受容するように適合され、前記平面構造が、上面及び下面を有する、筐体と、
前記壁を通って延在し、かつ前記ハーネス側部分において前記ケーブルと、及び前記カード側部分において前記平面構造と電気的に接続するように適合される、複数の弾性電気接触部材であって、上部及び下部接触部材が、それぞれ、前記平面の上側及び下側に配置され、よって、前記受容された平面構造が前記接触部材に突き当たって、前記上部及び下部接触部材を前記平面から離れるように付勢し、前記上部及び下部接触部材が、それぞれの接触点において、前記平面構造の前記上面及び下面に対して対向する保持圧力を付与する、複数の弾性電気接触部材と、を備える、エッジカードコネクタアセンブリ。
（２）  前記接触部材が、フィンガ部分と、エルボとを備え、前記フィンガ部分が、概して、前記壁から前記エルボまで延在し、前記接触部材の少なくとも一部分の前記エルボが、前記それぞれの接触点のうちの１つにおいて、前記平面構造とガルバニック接触する、実施態様１に記載のアセンブリ。
（３）  前記フィンガ部分が、弾性である、実施態様２に記載のアセンブリ。
（４）  前記接触部材が、前記平面の上側の上部の一組の列、及び前記平面の下側の下部の一組の列として配設されている、実施態様１に記載のアセンブリ。
（５）  前記上部の一組の列と前記下部の一組の列が、合計で５列である、実施態様４に記載のアセンブリ。
【００３７】
（６）  前記上部の一組の列内には３つの列が存在し、前記下部の一組の列内には２つの列が存在する、実施態様４に記載のアセンブリ。
（７）  ３４個の接触部材が存在する、実施態様６に記載のアセンブリ。
（８）  前記筐体の前記カード側部分が、対向する側壁と、前記側壁に形成された一対のスロットとを有し、前記スロットが、前記平面を画定し、前記平面構造をその中で受容する、実施態様１に記載のアセンブリ。
（９）  前記スロットが、前記壁において終端する、実施態様８に記載のアセンブリ。
（１０）  前記ハーネス側部分において、前記接触部材が、前記ケーブルのためのピンコネクタとして終端する、実施態様１に記載のアセンブリ。
【００３８】
（１１）  前記ハーネス側部分において、前記接触部材が、前記ケーブルのためのソケットコネクタとして終端する、実施態様１に記載のアセンブリ。
（１２）  前記平面構造が、前記接触点において前記接触部材と嵌合する電気接点を有するプリント回路基板である、実施態様１に記載のアセンブリ。
（１３）  前記筐体が、前記平面構造のそれぞれのくぼみに係合するスナップオンクリップを備える、実施態様１に記載のアセンブリ。
（１４）  方法であって、
カテーテルにハンドルを提供することであって、前記ハンドルが、その中に配置されたエッジカードコネクタを有する、提供することと、
エッジカード及びケーブルハーネスを前記エッジカードコネクタに接続することであって、前記エッジカードコネクタが、
カード側部分と、前記ケーブルハーネスに接続可能なハーネス側部分と、それらの間の壁とを有する筐体であって、前記カード側部分が、エントリ平面において、エッジに沿って平面構造をその中で受容するように適合され、前記平面構造が、上面及び下面を有する、筐体と、
前記壁を通って延在し、かつ前記ハーネス側部分において前記ケーブルハーネスと、及び前記カード側部分において前記平面構造と電気的に接続するように適合される、複数の弾性電気接触部材であって、上部及び下部接触部材が、それぞれ、前記平面の上側及び下側に配置され、よって、前記受容された平面構造が前記接触部材に突き当たって、前記上部及び下部接触部材を前記平面から離れるように付勢し、前記上部及び下部接触部材が、それぞれの接触点において、前記平面構造の前記上面及び下面に対して対向する保持圧力を付与する、複数の弾性電気接触部材と、を備える、接続することと、を含む、方法。
（１５）  前記接触部材が、フィンガ部分と、エルボとを備え、前記フィンガ部分が、概して、前記壁から前記エルボまで延在し、前記接触部材の少なくとも一部分の前記エルボが、前記それぞれの接触点のうちの１つにおいて、前記平面構造とガルバニック接触することを更に含む、実施態様１４に記載の方法。
【００３９】
（１６）  前記フィンガ部分が、弾性である、実施態様１５に記載の方法。
（１７）  前記接触部材が、前記平面の上側の上部の一組の列、及び前記平面の下側の下部の一組の列として配設される、実施態様１４に記載の方法。
（１８）  前記上部の一組の列と前記下部の一組の列とが、合計で５列である、実施態様１７に記載の方法。
（１９）  前記上部の一組の列内には３つの列が存在し、前記下部の一組の列内には２つの列が存在する、実施態様１７に記載の方法。
（２０）  ３４個の接触部材が存在する、実施態様１９に記載の方法。
【００４０】
（２１）  前記筐体の前記カード側部分が、対向する側壁と、前記側壁に形成された一対のスロットとを有し、前記スロットが、前記平面を画定し、前記平面構造をその中で受容する、実施態様１４に記載の方法。
（２２）  前記スロットが、前記壁において終端する、実施態様２１に記載の方法。
（２３）  前記ハーネス側部分において、前記接触部材が、前記ケーブルハーネスのためのピンコネクタとして終端する、実施態様１４に記載の方法。
（２４）  前記ハーネス側部分において、前記接触部材が、前記ケーブルハーネスのためのソケットコネクタとして終端する、実施態様１４に記載の方法。
（２５）  前記平面構造が、前記接触点において前記接触部材と嵌合する電気接点を有するプリント回路基板である、実施態様１４に記載の方法。
【００４１】
（２６）  エッジカードを接続することが、前記エッジカード及び前記エッジカードコネクタの係合解除を防止するスナップオンクリップによって行われる、実施態様１４に記載の方法。
【図１】
2019009123.tif 000004
【図２】
2019009123.tif 000005
【図３】
2019009123.tif 000006
【図４】
2019009123.tif 000007
【図５】
2019009123.tif 000008
【外国語明細書】
2019009123000001.pdf